(57)【要約】      （修正有）【課題】高温によって電源が切られた状態から起動可能な状態までの時間を短くできる画像投影装置を提供する。【解決手段】画像投影装置１０は、筐体１４と、筐体１４内に設けられ、画像を生成する光を照射する光源ユニット２０と、光源ユニット２０に電力を供給する第１電力供給部５２と、筐体１４内の温度を検出する温度検出部４６と、光源ユニット２０によって加熱された空気が流れる風路と温度検出部４６との相対位置を、第１状態と、第１状態よりも温度検出部４６が風路から遠い第２状態とで変更する変更部５４と、第１電力供給部５２の電力供給が停止した状態で、変更部５４を制御して、第１状態から前記第２状態へと切り替える制御部５６と、を備える。【選択図】図７
2018005053.tif 000002
【特許請求の範囲】
【請求項１】
筐体と、
前記筐体内に設けられ、画像を生成する光を照射する光源ユニットと、
前記光源ユニットに電力を供給する第１電力供給部と、
前記筐体内の温度を検出する温度検出部と、
前記光源ユニットによって加熱された空気が流れる風路と前記温度検出部との相対位置を、第１状態と、前記第１状態よりも前記温度検出部が前記風路から遠い第２状態とで変更する変更部と、
前記第１電力供給部の電力供給が停止した状態で、前記変更部を制御して、前記第１状態から前記第２状態へと切り替える制御部と、
を備える画像投影装置。
【請求項２】
前記変更部は、前記第２状態において、前記温度検出部と前記光源ユニットとの間に配置される金属製の仕切板を有する
請求項１に記載の画像投影装置。
【請求項３】
前記変更部は、前記第２状態において、前記温度検出部と前記光源ユニットとの間に配置される金属製以外の仕切板を有する
請求項１に記載の画像投影装置。
【請求項４】
前記変更部は、前記第１状態において前記温度検出部を内部に含み、前記第２状態において前記温度検出部を内部に含まず、一端が前記光源ユニットに向けて開口する風路変更ダクトである
請求項１に記載の画像投影装置。
【請求項５】
前記風路変更ダクトは、金属製である
請求項４に記載の画像投影装置。
【請求項６】
前記風路変更ダクトは、金属製以外である
請求項４に記載の画像投影装置。
【請求項７】
前記筐体内の空気を排気する排気ファンと、
前記排気ファンに充電した電力を供給する第２電力供給部と、
を更に備える請求項１から６のいずれか１項に記載の画像投影装置。
【請求項８】
前記変更部は、
前記温度検出部を収容するとともに、前記温度検出部を案内する溝が形成された収容部材と、
前記第１状態では前記温度検出部を前記収容部材の内部に支持し、前記第２状態では前記温度検出部の支持を解除して前記溝に沿って前記温度検出部を移動させる可動式留め具と、
を有する請求項１に記載の画像投影装置。
【請求項９】
筐体と、
前記筐体内に設けられ、画像を生成する光を照射する光源ユニットと、
前記光源ユニットに電力を供給する第１電力供給部と、
前記筐体内の温度を検出する温度検出部と、
前記光源ユニットによって加熱された空気が流れる風路と前記温度検出部との相対位置を、第１状態と、前記第１状態よりも前記温度検出部が前記風路よりも遠い第２状態とで変更する変更部と、
を備える画像投影装置の制御方法において、
電源ボタンによる電源オフか否かを判定する段階と、
前記電源ボタンによらず前記第１電力供給部の電力供給が停止した場合、前記変更部を前記第１状態から前記第２状態へと切り替える段階と
を備える画像投影装置の制御方法。
【請求項１０】
筐体と、
前記筐体内に設けられ、画像を生成する光を照射する光源ユニットと、
前記光源ユニットに電力を供給する第１電力供給部と、
前記筐体内の温度を検出する温度検出部と、
前記光源ユニットによって加熱された空気が流れる風路と前記温度検出部との相対位置を、第１状態と、前記第１状態よりも前記温度検出部が前記風路よりも遠い第２状態とで変更する変更部と、
を備える画像投影装置のコンピュータに、
電源ボタンによる電源オフか否かを判定する機能と、
前記電源ボタンによらず前記第１電力供給部の電力供給が停止した場合、前記変更部を前記第１状態から前記第２状態へと切り替える機能と、
を実現させるプログラム。
【発明の詳細な説明】
【技術分野】
【０００１】
本発明は、画像投影装置、画像投影装置の制御方法、及び、プログラムに関する。
【背景技術】
【０００２】
ランプ光源を有する光源ユニットを備える画像投影装置が知られている。画像投影装置では、ランプ光源及び筐体内を設定温度内に保つために、温度センサ等により温度を検出しつつ、ファン等によって筐体内を冷却している。このような画像投影装置では、光源ユニットにより筐体内の温度が高くなると、電源を切るように構成されている。
【発明の概要】
【発明が解決しようとする課題】
【０００３】
しかしながら、上述の画像投影装置では、温度が高くなり電源が切れると、ファンが停止する。このような画像投影装置では、光源ユニットの熱が温度センサに伝わりやすくなるとともに、放熱に時間がかかるので、起動可能になるまでの時間が長くなる。特に、電源が切れた後の起動可能な温度の閾値が、電源を切るための温度の閾値よりも高く設定されている画像投影装置では、起動可能になるまでの時間がより長くなるといった課題がある。
【０００４】
本発明は、上記に鑑みてなされたものであって、高温によって電源が切られた状態から起動可能な状態までの時間を短くできる画像投影装置を提供することを目的とする。
【課題を解決するための手段】
【０００５】
上述した課題を解決し、目的を達成するために、本発明の画像投影装置は、筐体と、前記筐体内に設けられ、画像を生成する光を照射する光源ユニットと、前記光源ユニットに電力を供給する第１電力供給部と、筐体内の温度を検出する温度検出部と、前記光源ユニットによって加熱された空気が流れる風路と前記温度検出部との相対位置を、第１状態と、前記第１状態よりも前記温度検出部が前記風路から遠い第２状態とで変更する変更部と、前記第１電力供給部の電力供給が停止した状態で、前記変更部を制御して、前記第１状態から前記第２状態へと切り替える制御部と、を備える。
【発明の効果】
【０００６】
本発明は、高温によって電源が切られた状態から起動可能な状態までの時間を短くできる。
【図面の簡単な説明】
【０００７】
【図１】図１は、第１実施形態の画像投影装置の全体斜視図である。
【図２】図２は、第１実施形態の画像投影装置の側面図である。
【図３】図３は、画像投影装置の内部構成の斜視図である。
【図４】図４は、光源ユニット及び光学エンジンの拡大斜視図である。
【図５】図５は、平面視における光学エンジンの断面図である。
【図６】図６は、第１状態における画像投影装置の内部構成及び制御系を説明する構成図である。
【図７】図７は、第２状態における画像投影装置の内部構成及び制御系を説明する構成図である。
【図８】図８は、画像投影装置の主制御部の機能を示す機能ブロック図である。
【図９】図９は、第１実施形態に係る画像投影装置の制御系のハードウェア構成を模式的に示すブロック図である。
【図１０】図１０は、主制御部の演算部が実行する電源オフ処理のフローチャートである。
【図１１】図１１は、第１状態における第２実施形態の画像投影装置の内部構成及び制御系を説明する構成図である。
【図１２】図１２は、第２状態における第２実施形態の画像投影装置の内部構成及び制御系を説明する構成図である。
【図１３】図１３は、第２実施形態の画像投影装置の演算部が実行する電源オフ処理のフローチャートである。
【図１４】図１４は、第３実施形態の画像投影装置の内部構成及び制御系を説明する構成図である。
【図１５】図１５は、第１状態における第４実施形態の画像投影装置の内部構成及び制御系を説明する構成図である。
【図１６】図１６は、第２状態における第４実施形態の画像投影装置の内部構成及び制御系を説明する構成図である。
【発明を実施するための形態】
【０００８】
以下の例示的な実施形態等の同様の構成要素には共通の符号を付与して、重複する説明を適宜省略する。
【０００９】
＜第１実施形態＞
図１は、第１実施形態の画像投影装置１０の全体斜視図である。図２は、第１実施形態の画像投影装置１０の側面図である。
【００１０】
図１及び図２に示すように、画像投影装置１０は、パーソナルコンピュータ及びビデオカメラ等が出力した画像データ等に基づいて生成した画像をスクリーン１２に投射表示する。画像投影装置１０として広く知られた液晶プロジェクタは、近来、液晶パネルの高解像化、光源ランプの高効率化等に伴う明るさの改善、低価格化等が進んでいる。ＤＭＤ（Digital  Micro-mirror  Device）を有する小型軽量化された画像投影装置１０が、普及して、オフィス及び学校のみならず家庭においても広く利用されている。特に、フロントタイプの画像投影装置１０は、携帯性が向上して、数人規模の小会議にも利用されている。
【００１１】
画像投影装置１０は、大画面の画像を投射できることと共に（即ち、投射画面の大型化）、画像投影装置１０の外部に必要とされる投射空間（または投射距離）をできるだけ小さくすることが要請されている。近年では、光学エンジンの性能が向上して、投射距離が１ｍ〜２ｍで投射サイズが６０ｉｎｃｈから８０ｉｎｃｈの大画面を達成できる画像投影装置１０が主流となっている。以前の投射距離の長い画像投影装置の場合、会議机が画像投影装置とスクリーン１２との間に配置されて、画像投影装置は会議机の後方に設置されていた。近年の画像投影装置１０は、投射距離の短縮に伴って、会議机の前側（即ち、スクリーン１２側）に配置される。これにより、画像投影装置１０の後方の空間を自由に活用できるようになった。画像投影装置１０は、筐体１４と、筐体１４内に収納された光源ランプ及び多数の電子基板を備える。これにより、画像投影装置１０の筐体１４の内部の温度は、起動後、時間の経過と共に、光源ランプの熱により上昇する。画像投影装置１０の筐体１４の小型化に伴って、画像投影装置１０の内部の温度の上昇はより顕著になっている。画像投影装置１０の内部の温度が耐熱温度を超えることのないように、吸気口１６及び排気口１８が、筐体１４に形成されている。これにより、画像投影装置１０の内部が、強制気流による空冷方式によって冷却される。
【００１２】
図３は、画像投影装置１０の内部構成の斜視図である。図４は、光源ユニット２０及び光学エンジン２２の拡大斜視図である。図３及び図４に示すように、画像投影装置１０は、光源ユニット２０と、光学エンジン２２と、吸気ファン２４と、排気ファン２６とを備える。光源ユニット２０、光学エンジン２２、吸気ファン２４、及び、排気ファン２６は、筐体１４内に設けられている。
【００１３】
光源ユニット２０は、例えば、高圧水銀ランプを有する。光源ユニット２０は、光学エンジン２２へと画像を形成する光（例えば、白色光）を照射する。
【００１４】
光学エンジン２２は、光源ユニット２０からの光を各色に分光して、画像を生成する。光学エンジン２２は、後述する照明ユニット３０及び投射ユニット３４を有する。
【００１５】
吸気ファン２４は、筐体１４内の吸気口１６の近傍に設けられている。吸気ファン２４は、吸気口１６から外部の空気を吸気して、画像投影装置１０の内部へ供給する。
【００１６】
排気ファン２６は、筐体１４内の排気口１８の近傍に設けられている。排気ファン２６は、画像投影装置１０の内部を冷却した筐体１４内の空気を、排気口１８から強制排気する。
【００１７】
このように、画像投影装置１０の空冷方式は、吸気ファン２４及び排気ファン２６による吸気口１６から排気口１８への気流によって実施される。
【００１８】
図５は、平面視における光学エンジン２２の断面図である。光学エンジン２２は、照明ユニット３０と、画像表示ユニット３２と、投射ユニット３４とを有する。
【００１９】
照明ユニット３０は、光源ユニット２０が照射した白色光をＲＧＢ（即ち、赤、緑、青）に分光して、分光した光を画像表示ユニット３２へと導く。照明ユニット３０は、カラーホイール３６と、ライトトンネル３８と、２枚のリレーレンズ４０と、平面ミラー４２と、曲面ミラー４４とを有する。
【００２０】
カラーホイール３６は、周方向に配列された複数の色のカラーフィルターを含む円盤形状に形成されている。カラーホイール３６は、回転しつつ光源ユニット２０が照射した白色光を受光することにより、白色光を分光してＲＧＢの各色の光に変換する。
【００２１】
ライトトンネル３８は、例えば、４枚の板ガラスを貼り合わせた中空の筒状に構成されている。ライトトンネル３８は、カラーホイール３６によって分光された光を内部の空間によって２枚のリレーレンズ４０へ導く。
【００２２】
２枚のリレーレンズ４０は、組み合わされることによって、ライトトンネル３８が出力する光の軸上色収差を補正して、集光する。
【００２３】
平面ミラー４２は、リレーレンズ４０によって集光された光を、曲面ミラー４４へと反射する。
【００２４】
曲面ミラー４４は、平面ミラー４２によって反射された光を、画像表示ユニット３２へと集光しつつ反射する。
【００２５】
画像表示ユニット３２は、変調信号に基づいて、照明ユニット３０によって分光されて導かれた光によって画像を生成して、投射ユニット３４へ出力する。画像表示ユニット３２は、例えば、照明ユニット３０の内部に設けられた光変調素子として機能するＤＭＤ（Digital  Micro-mirror  Device）である。画像表示ユニット３２は、略矩形のミラー面を有する複数のマイクロミラーを有する。画像表示ユニット３２のマイクロミラーは、投射ユニット３４の方向と、光を吸収するＯＦＦ光板の方向とに受光した光を反射する。画像表示ユニット３２は、画像データに基づいて各マイクロミラーを時分割して駆動することにより、曲面ミラー４４が反射した光のうち、画像を生成する光を投射ユニット３４へ反射して、画像生成に不要な光をＯＦＦ光板へと反射することにより、画像を生成する。
【００２６】
投射ユニット３４は、複数の投射レンズを有する。投射ユニット３４は、画像表示ユニット３２によって反射された光によって生成された画像を拡大して、スクリーン１２へ投射する。
【００２７】
尚、照明ユニット３０のリレーレンズ４０、平面ミラー４２、及び、曲面ミラー４４、画像表示ユニット３２、及び、投射ユニット３４の入射側は、各部品を覆うように、図示しないハウジングにより保持されている。ハウジングの合せ面は、シール材によって密閉された防塵構造となっている。
【００２８】
図６は、第１状態における画像投影装置１０の内部構成及び制御系を説明する構成図である。図７は、第２状態における画像投影装置１０の内部構成及び制御系を説明する構成図である。
【００２９】
図６及び図７に示すように、画像投影装置１０は、温度検出部４６と、電源ボタン４８と、バラスト回路５０と、第１電力供給部の一例であるＰＳＵ（Power  Supply  Unit）５２と、変更部の一例である風路変更部５４と、制御部の一例である主制御部５６とを更に備える。
【００３０】
温度検出部４６は、例えば、サーモスタットである。温度検出部４６は、筐体１４の内部であって、例えば、光源ユニット２０の鉛直上方に配置されている。換言すれば、温度検出部４６は、光源ユニット２０から見て、重力の向きと反対側に配置されている。従って、温度検出部４６は、光源ユニット２０によって加熱された空気が流れる風路ＡＴ上に配置されている。温度検出部４６は、筐体１４内の温度を検出して、当該温度に関する温度情報を出力する。例えば、温度検出部４６は、電源がオンの状態で、予め定められた第１閾値温度以上か否かを判定した結果である第１判定結果を温度情報としてＰＳＵ５２へ送信する。温度検出部４６は、電源がオフの状態で、第２閾値温度以上か否かを判定した結果である第２判定結果を温度情報としてＰＳＵ５２へ送信する。第２閾値温度は、例えば、第１閾値温度よりも低い。尚、温度検出部４６は、温度の値を示す温度情報をＰＳＵ５２または主制御部５６へ送信してもよい。
【００３１】
電源ボタン４８は、ユーザからの電源のオン・オフを切り替える切替指示を受け付ける。電源ボタン４８は、受け付けた切替指示を主制御部５６へ送信する。
【００３２】
バラスト回路５０は、ＰＳＵ５２から受けた電力を光源ユニット２０へ供給する。
【００３３】
ＰＳＵ５２は、ＡＣ電源９２から受けた電力を、画像投影装置１０の各構成に供給する。例えば、ＰＳＵ５２は、温度検出部４６から取得した第１判定結果及び第２判定結果、及び、主制御部５６からの制御指示に基づいて、風路変更部５４及びバラスト回路５０を介して光源ユニット２０へ電力を供給する。
【００３４】
風路変更部５４は、温度検出部４６と光源ユニット２０との間で位置変更可能に配置されている。風路変更部５４は、回動可能または移動可能に筐体１４等の支持部材に支持されている。これにより、風路変更部５４は、光源ユニット２０によって加熱された空気が流れる風路ＡＴと温度検出部４６との相対位置を変更する。具体的には、風路変更部５４は、図６に示すように光源ユニット２０から温度検出部４６への風路ＡＴを遮断しない第１状態の通気位置と、図７に示すように光源ユニット２０から温度検出部４６への風路ＡＴを遮断する第２状態の遮断位置との間で回動または移動する。電源がオンの状態では、風路変更部５４は、通気位置である。電源がオフの状態では、風路変更部５４は、通気位置または遮断位置である。風路変更部５４は、図６に示すように温度検出部４６が風路ＡＴに近い第１状態と、図７に示すように第１状態よりも温度検出部４６が風路ＡＴから遠い第２状態とで、風路ＡＴと温度検出部４６との相対位置を変更する。風路変更部５４は、風路切替板５８と、吸音部材６０とを有する。風路切替板５８は、第１状態では通気位置に配置され、第２状態では温度検出部４６と光源ユニット２０との間の遮断位置に配置されている。風路切替板５８は、例えば、平面状の金属製の仕切板である。風路切替板５８は、金属製以外の仕切板であってもよい。吸音部材６０は、風路切替板５８に設けられ、風路変更部５４の位置の切り替え等に伴う音を吸収する。
【００３５】
主制御部５６は、例えば、コンピュータである。主制御部５６は、画像投影装置１０の制御全般を司る。例えば、主制御部５６は、外部から取得した画像データに基づいて、画像表示ユニット３２等を制御して、画像を投射する。主制御部５６は、ＰＳＵ５２を介して、光源ユニット２０、吸気ファン２４、排気ファン２６、及び、風路変更部５４を制御する。例えば、主制御部５６は、電源がオフとなり、ＰＳＵ５２の電力供給が停止した状態で、風路変更部５４を制御して、第１状態から第２状態へと切り替える。
【００３６】
図８は、画像投影装置１０の主制御部５６の機能を示す機能ブロック図である。図８に示すように、画像投影装置１０の主制御部５６は、演算部６２と、記憶部６４とを有する。
【００３７】
演算部６２は、例えば、ＣＰＵ（Central  Processing  Unit）等の演算処理装置である。演算部６２は、取得部６６と、処理部６８とを有する。演算部６２は、プログラムを読み込むことによって、取得部６６及び処理部６８として機能する。取得部６６及び処理部６８の全てまたは一部をＡＳＩＣ（Application  Specific  Integrated  Circuit）等の回路によって構成してもよい。
【００３８】
取得部６６は、外部機器から画像データを取得する。取得部６６は、ＰＳＵ５２を介して温度検出部４６の判定結果を取得する。取得部６６は、電源ボタン４８から電源のオンとオフとを切り替える切替指示を取得する。取得部６６は、電源オフが電源ボタン４８からの切替指示によるものか否かを判定する。
【００３９】
処理部６８は、画像データに基づいて、光源ユニット２０及び光学エンジン２２を制御して、画像を生成して投射する。処理部６８は、ＰＳＵ５２を介して、光源ユニット２０、吸気ファン２４、排気ファン２６、及び、風路変更部５４を制御する。例えば、処理部６８は、電源ボタン４８から受け付けた切替指示に基づいて、電源をオフにする場合、ＰＳＵ５２の電力供給を停止して、光源ユニット２０、吸気ファン２４、及び、排気ファン２６を停止する。また、処理部６８は、電源がオフの状態で、温度検出部４６からの判定結果等に基づいて、風路変更部５４の位置を切り替える。
【００４０】
記憶部６４は、ＲＡＭ（Random  Access  Memory）、ＲＯＭ（Read  Only  Memory）、ＨＤＤ（Hard  Disk  Drive）、及び、ＳＳＤ（Solid  State  Drive）等を有する。記憶部６４は、演算部６２が実行するプログラム及びプログラムに必要な閾値等のパラメータを格納する。
【００４１】
図９は、第１実施形態に係る画像投影装置１０の制御系のハードウェア構成を模式的に示すブロック図である。図９に示すように、第１実施形態に係る画像投影装置１０は、ＣＰＵ（Central  Processing  Unit）８０と、ＲＡＭ（Random  Access  Memory）８２と、ＲＯＭ（Read  Only  Memory）８４と、ＨＤＤ（Hard  Disk  Drive）８６と、Ｉ／Ｆ８８と、バス９０とを備えるコンピュータである。ＣＰＵ８０、ＲＡＭ８２、ＲＯＭ８４、ＨＤＤ８６及びＩ／Ｆ８８は、バス９０を介して、接続されている。
【００４２】
ＣＰＵ８０は、画像投影装置１０の制御全般を司る。ＲＡＭ８２は、情報の高速な読み書きが可能な揮発性の記憶媒体であり、ＣＰＵ８０が情報を処理する際の作業領域として用いられる。ＲＯＭ８４は、読み出し専用の不揮発性記憶媒体であり、ファームウェア等のプログラムを格納する。ＨＤＤ８６は、情報の読み書きが可能な不揮発性の記憶媒体であり、ＯＳ（Operating  System）、各種の制御プログラム、及び、アプリケーション・プログラム等を格納する。
【００４３】
Ｉ／Ｆ８８は、バス９０と各種のハードウェアやネットワーク等を接続し制御する。Ｉ／Ｆ８８には、吸気ファン２４、排気ファン２６、電源ボタン４８、及び、ＰＳＵ５２が接続されている。
【００４４】
第１実施形態の画像投影装置１０が実行する電源オフ用のプログラムは、上述した各部（取得部６６、処理部６８）を含むモジュール構成となっている。実際のハードウェアとしてはＣＰＵ８０が上記ＲＯＭ８４から電源オフ用のプログラムを読み出して実行することにより、上記各部が主記憶装置上にロードされる。これにより、取得部６６、処理部６８が主記憶装置上に生成されて、これらの機能がコンピュータに実現されるようになっている。
【００４５】
例えば、第１実施形態の画像投影装置１０で実行される電源オフ用のプログラムは、ＲＯＭ８４等に予め組み込まれて提供される。第１実施形態の画像投影装置１０で実行される電源オフ用のプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成してもよい。
【００４６】
さらに、第１実施形態の画像投影装置１０で実行される電源オフ用のプログラムを、インターネット等のネットワークに接続されたコンピュータ上に格納し、ネットワーク経由でダウンロードさせることにより提供するように構成しても良い。また、第１実施形態の画像投影装置１０で実行される電源オフ用のプログラムをインターネット等のネットワーク経由で提供または配布するように構成しても良い。
【００４７】
図１０は、主制御部５６の演算部６２が実行する電源オフ処理のフローチャートである。演算部６２は、電源オフ用のプログラムを読み込むことによって、電源オフ処理を実行する。電源オフ用プログラムによって実行される段階の少なくとも一部が、画像投影装置の制御方法の一例である。電源オフ処理のフローチャートは、風路変更部５４が第１状態でスタートする。
【００４８】
図１０に示すように、電源オフ処理が開始されると、まず、取得部６６は、電源ボタン４８の操作によって電源をオフにするか否かを判定する（Ｓ１０２）。
【００４９】
取得部６６は、電源ボタン４８の切替指示を取得することなく、ＰＳＵ５２を停止させて電源をオフにする場合（Ｓ１０２：Ｎｏ）、処理部６８は、ステップＳ１０４を実行することなく、ステップＳ１０６を実行する。電源ボタン４８の切替指示を受け付けずに電源をオフにする場合とは、温度検出部４６の判定結果が予め定められた設定温度外であることを示す場合、ＡＣ電源９２と接続されている電源コードが抜かれた場合、及び、停電等の場合を含む。
【００５０】
取得部６６は、電源ボタン４８の切替指示を取得することにより、電源をオフにする場合（Ｓ１０２：Ｙｅｓ）、処理部６８は、アフタークーリングの処理を実行する（Ｓ１０４）。具体的には、処理部６８は、予め定められた時間だけ、筐体１４内を冷却するために吸気ファン２４及び排気ファン２６の駆動を継続する。
【００５１】
次に、処理部６８は、光源ユニット２０のランプを消灯するとともに、吸気ファン２４、及び、排気ファン２６を停止する（Ｓ１０６）。尚、ステップＳ１０６の処理は、処理部６８による処理のみならず、電力供給が停止して、強制的に停止及び消灯する場合を含む。
【００５２】
処理部６８は、筐体１４内の温度が予め定められた第１設定温度内か否かを判定する（Ｓ１０８）。例えば、処理部６８は、取得部６６がＰＳＵ５２を介して温度検出部４６から取得した第１判定結果に基づいて、筐体１４内の温度が第１設定温度内か否かを判定する。
【００５３】
処理部６８は、取得部６６がＰＳＵ５２を介して温度検出部４６から取得した第１判定結果が第１閾値温度未満を示している場合、第１設定温度内と判定する（Ｓ１０８：Ｙｅｓ）。この場合、筐体１４内の温度は十分に低いので、処理部６８は、画像投影装置１０を待機状態にする（Ｓ１１０）。待機状態とは、例えば、取得部６６が電源ボタン４８の切替指示を取得した場合に、電源をオンに切り替えて、ＰＳＵ５２が電力供給でき、起動できる状態のことである。
【００５４】
処理部６８は、取得部６６がＰＳＵ５２を介して温度検出部４６から取得した第１判定結果が第１閾値温度以上を示している場合、第１設定温度外と判定する（Ｓ１０８：Ｎｏ）。この場合、筐体１４内の温度は高いので、処理部６８は、風路変更部５４の位置を移動させて、状態を切り替えるか否かを判定する（Ｓ１１２）。処理部６８は、例えば、電源ボタン４８の操作によらず、電源コードの引き抜きまたは停電等により、外部からの電力供給が急に停止した場合、風路変更部５４を遮断位置に切り替えると判定する。
【００５５】
処理部６８は、風路変更部５４の位置を切り替えると判定すると（Ｓ１１２：Ｙｅｓ）、ＰＳＵ５２を介して風路変更部５４を制御して、風路変更部５４を図７に示す第２状態の遮断位置に移動させた後、画像投影装置１０を待機状態とする（Ｓ１１０）。
【００５６】
処理部６８は、風路変更部５４の位置を切り替えないと判定すると（Ｓ１１２：Ｎｏ）、風路変更部５４の位置を切り替えずに図６に示す第１状態の通気位置に維持して、温度検出部４６が検出した温度が第２設定温度内か否かを判定する（Ｓ１１４）。例えば、処理部６８は、取得部６６がＰＳＵ５２を介して温度検出部４６から取得した第２判定結果に基づいて、温度検出部４６が検出した温度が第２設定温度内か否かを判定する。
【００５７】
処理部６８は、取得部６６がＰＳＵ５２を介して温度検出部４６から取得した第２判定結果が第２閾値温度以上を示している場合、第２設定温度外と判定して（Ｓ１１４：Ｎｏ）、ステップＳ１１４を繰り返して、画像投影装置１０を待機状態にしない。ここで、第２閾値温度は、第１閾値温度よりも低い。従って、温度検出部４６が検出した筐体１４内の温度が待機状態可能な第１閾値温度未満であっても第２閾値温度以上であれば、処理部６８は、画像投影装置１０を待機状態にしない。即ち、処理部６８は、温度検出部４６の一種の誤動作によって、画像投影装置１０を待機状態にしないので、この場合、ユーザは、電源ボタン４８を操作しても起動できない。
【００５８】
処理部６８は、取得部６６がＰＳＵ５２を介して温度検出部４６から取得した第２判定結果が第２閾値温度未満を示している場合、第２設定温度内と判定する（Ｓ１１４：Ｙｅｓ）。この場合、温度検出部４６の周辺、即ち、筐体１４内の温度は十分に低いので、処理部６８は、待機状態とする（Ｓ１１０）。
【００５９】
上述したように、画像投影装置１０では、主制御部５６の処理部６８が、電源がオフの状態で、光源ユニット２０から温度検出部４６への風路ＡＴを遮断する遮断位置に風路変更部５４を配置する。これにより、画像投影装置１０は、電源ボタン４８の切替指示を受け付けない状態を低減して、待機状態となる状況を増やすことができる。これにより、画像投影装置１０は、起動させてもよいにも関わらず、ユーザが起動させることができない状態を低減して、起動までの時間を短縮することができる。
【００６０】
＜第２実施形態＞
図１１は、第１状態における第２実施形態の画像投影装置１１０の内部構成及び制御系を説明する構成図である。図１２は、第２状態における第２実施形態の画像投影装置１１０の内部構成及び制御系を説明する構成図である。画像投影装置１１０では、排気ファン２６は、温度検出部４６の近傍に設けられている。
【００６１】
図１１及び図１２示すように、画像投影装置１１０は、変更部の一例である風路変更ダクト１５４を備える。風路変更ダクト１５４は、光源ユニット２０から排気ファン２６にわたって設けられている。風路変更ダクト１５４は、例えば、金属製のダクトである。風路変更ダクト１５４は、例えば、金属製以外のダクトであってもよい。風路変更ダクト１５４は、変形可能な中空の筒状に形成されている。風路変更ダクト１５４の一端は、光源ユニット２０に向けて開口している。風路変更ダクト１５４の他端は、排気ファン２６に向けて開口している。従って、風路変更ダクト１５４の内部の中空領域は、風路ＡＴとなる。風路変更ダクト１５４は、温度検出部４６を通過させるために側面に形成された貫通穴に設けられたスポンジ部材１５５を有する。スポンジ部材１５５は、温度検出部４６を通過可能に設けられている。スポンジ部材１５５は、温度検出部４６が通過していない状態では、貫通孔を塞ぐ。
【００６２】
図１１に示すように、風路変更ダクト１５４は、第１状態の通気位置において、温度検出部４６を内部に含む位置に配置される。これにより、風路変更ダクト１５４は、光源ユニット２０によって加熱された空気を、温度検出部４６の近傍を通過させて、排気ファン２６へと導く。図１２に示すように、風路変更ダクト１５４は、電源がオフになった第２状態の遮断位置において、温度検出部４６を内部に含まない位置に変形して配置される。従って、風路変更ダクト１５４は、図１１に示すように温度検出部４６が風路ＡＴに近い第１状態と、図１２に示すように第１状態よりも温度検出部４６が風路ＡＴから遠い第２状態とで、温度検出部４６と風路ＡＴとの相対位置を変更する。これにより、風路変更ダクト１５４は、光源ユニット２０によって加熱された空気の多くを、温度検出部４６の近傍を通過させることなく、排気ファン２６へと導く。
【００６３】
図１３は、第２実施形態の画像投影装置１１０の演算部６２が実行する電源オフ処理のフローチャートである。尚、第１実施形態の電源オフ処理と同じ処理には同じステップ番号を付与して説明を省略する。
【００６４】
図１３に示すように、第２実施形態の電源オフ処理では、処理部６８は、ステップＳ１０２からステップＳ１０６を実行した後、温度検出部４６が検出した風路変更ダクト１５４内（即ち、筐体１４内）の温度が第１設定温度内か否かを判定する（Ｓ２０８）。
【００６５】
処理部６８は、風路変更ダクト１５４内の温度が第１設定温度内であると判定すると（Ｓ２０８：Ｙｅｓ）、画像投影装置１１０を待機状態とする（Ｓ１１０）。
【００６６】
処理部６８は、風路変更ダクト１５４内の温度が第１設定温度内でないと判定すると（Ｓ２０８：Ｎｏ）、風路変更ダクト１５４を移動させるか否かを判定する（Ｓ２１２）。
処理部６８は、風路変更ダクト１５４の位置を変更すると判定すると（Ｓ２１２：Ｙｅｓ）、風路変更ダクト１５４を図１２に示す第２状態の遮断位置へと移動させて、画像投影装置１１０を待機状態とする（Ｓ１１０）。
【００６７】
処理部６８は、風路変更ダクト１５４の位置を変更させないと判定すると（Ｓ２１２：Ｎｏ）、風路変更ダクト１５４の位置を変更することなく、図１１に示す第１状態の通気位置に維持して、ステップＳ１１４を実行した後、画像投影装置１１０を待機状態とする（Ｓ１１０）。
【００６８】
＜第３実施形態＞
図１４は、第３実施形態の画像投影装置２１０の内部構成及び制御系を説明する構成図である。
【００６９】
図１４に示すように、第３実施形態の画像投影装置２１０は、第２電力供給部の一例である駆動部２７０を更に備える。駆動部２７０は、充電式の電源を有する。駆動部２７０は、モータを有していてもよい。駆動部２７０は、ＰＳＵ５２が電力供給を停止した場合に、排気ファン２６に充電した電力または充電した電力による駆動力を一定の時間供給する。これにより、排気ファン２６は、ＰＳＵ５２等からの電力供給が停止しても、排気を継続できる。
【００７０】
＜第４実施形態＞
図１５は、第１状態における第４実施形態の画像投影装置３１０の内部構成及び制御系を説明する構成図である。図１６は、第２状態における第４実施形態の画像投影装置３１０の内部構成及び制御系を説明する構成図である。
【００７１】
図１５に示すように、第４実施形態の画像投影装置３１０は、変更部３５４を有する。変更部３５４は、温度検出部４６を風路ＡＴに対して相対移動させる。変更部３５４は、収容部材３５８と、可動式留め具３６０と、突起３６１とを有する。
【００７２】
収容部材３５８は、スライド可能に温度検出部４６を収容する。収容部材３５８には、スライド溝３５９が形成されている。スライド溝３５９は、例えば、上下方向に延びる。スライド溝３５９は、温度検出部４６を上下方向に沿って案内する。
【００７３】
可動式留め具３６０は、図１５に示す第１状態の支持位置と、図１６に示す第２状態の退避位置との間で移動する。可動式留め具３６０は、第１状態の支持位置において、温度検出部４６を収容部材３５８の上部の内部に支持する。即ち、可動式留め具３６０は、支持位置において、温度検出部４６を光源ユニット２０の熱を検出可能な風路ＡＴの近傍の検出位置に保持する。可動式留め具３６０は、第２状態の退避位置において、温度検出部４６の支持を解除する。これにより、可動式留め具３６０は、収容部材３５８のスライド溝３５９に沿って、温度検出部４６を重力によって下方へ移動させる。即ち、温度検出部４６は、第２状態において、光源ユニット２０の熱の影響の小さい、第１状態よりも風路ＡＴから遠い非検出位置へ移動する。
【００７４】
突起３６１は、スライド溝３５９から突出して、非検出位置へと移動した温度検出部４６を、検出位置へと移動させる。
【００７５】
第４実施形態の画像投影装置３１０では、電源がオフの状態において、主制御部５６が可動式留め具３６０を支持位置から退避位置へと移動させる。これにより、主制御部５６は、電源がオフの状態において、温度検出部４６を第１状態の検出位置から第２状態の非検出位置へと移動させる。
【００７６】
上述した各実施形態の構成の機能、配置、個数、及び、形状等は適宜変更してよい。また、各実施形態は、適宜組み合わせてもよい。
【００７７】
温度検出部４６は、光源ユニット２０の鉛直上方以外の位置に配置されていてもよい。例えば、画像投影装置１０等が３６０°のいずれの向きにも設置可能な構成の場合、温度検出部４６は、光源ユニット２０の鉛直下方、または、水平方向に配置されることになる。この場合、温度検出部４６は、設置の向きによって、光源ユニット２０の熱の影響を受ける場合があるので、上述の各実施形態を適用することにより、上述の効果を得ることができる。
【００７８】
上述の実施形態は、例として提示したものであり、本発明の範囲を限定することは意図していない。この新規な実施形態は、その他の様々な形態で実施されることが可能であり、発明の要旨を逸脱しない範囲で、種々の省略、置き換え、変更を行うことも可能である。実施形態および実施形態の変形は、発明の範囲や要旨に含まれると共に、特許請求の範囲に記載された発明とその均等の範囲に含まれる。
【符号の説明】
【００７９】
１０…画像投影装置
１４…筐体
２０…光源ユニット
２６…排気ファン
４６…温度検出部
４８…電源ボタン
５２…ＰＳＵ
５４…風路変更部
５６…主制御部
５８…風路切替板
１１０…画像投影装置
１５４…風路変更ダクト
２１０…画像投影装置
２７０…駆動部
３１０…画像投影装置
３５４…変更部
３５８…収容部材
３５９…スライド溝
３６０…可動式留め具
３６１…突起
ＡＴ…風路
【先行技術文献】
【特許文献】
【００８０】
【特許文献１】特開２０１１−０４８２１０号公報
【図１】
2018005053.tif 000003
【図２】
2018005053.tif 000004
【図３】
2018005053.tif 000005
【図４】
2018005053.tif 000006
【図５】
2018005053.tif 000007
【図６】
2018005053.tif 000008
【図７】
2018005053.tif 000009
【図８】
2018005053.tif 000010
【図９】
2018005053.tif 000011
【図１０】
2018005053.tif 000012
【図１１】
2018005053.tif 000013
【図１２】
2018005053.tif 000014
【図１３】
2018005053.tif 000015
【図１４】
2018005053.tif 000016
【図１５】
2018005053.tif 000017
【図１６】
2018005053.tif 000018